(57)【要約】【課題】遅延情報を配信するサーバの負担を増すことなく、交通機関に遅延が生じた場合にアラーム時刻を変更することができるようにする。【解決手段】携帯電話機１０は、メール受信手段３が受信した電子メールがユーザが指定した交通機関の遅延情報を伝える電子メールであると遅延メール判別手段４が判別した場合には、電子メールから遅延時間を抽出し、抽出した遅延時間にもとづいてアラーム機能を実行する時刻を再計算する変更時刻算出手段５と、変更時刻算出手段５がアラーム設定時刻を再計算した場合には、再計算したアラーム設定時刻と現在時刻とが一致したときにアラーム機能を実行し、変更時刻算出手段５がアラーム設定時刻を再計算しない場合には、記憶装置１に格納されているアラーム設定時刻と現在時刻とが一致したときにアラーム機能を実行するアラーム実行手段６とを備えている。【選択図】図６
2010091478.tif 000002
【特許請求の範囲】
【請求項１】
ユーザが指定した交通機関を示すデータおよびアラーム設定時刻を示すデータを格納する記憶装置と、
交通機関の遅延情報を通知する遅延情報通知サーバからの電子メールを受信するメール受信手段と、
前記メール受信手段が受信した電子メールがユーザが指定した交通機関の遅延情報を伝える電子メールであるか判別する遅延メール判別手段と、
前記メール受信手段が受信した電子メールがユーザが指定した交通機関の遅延情報を伝える電子メールであると前記遅延メール判別手段が判別した場合には、電子メールから遅延時間を抽出し、抽出した遅延時間にもとづいてアラーム機能を実行する時刻を再計算する変更時刻算出手段と、
前記変更時刻算出手段がアラーム設定時刻を再計算した場合には、再計算したアラーム設定時刻と現在時刻とが一致したときにアラーム機能を実行し、前記変更時刻算出手段がアラーム設定時刻を再計算しない場合には、前記記憶装置に格納されているアラーム設定時刻と現在時刻とが一致したときにアラーム機能を実行するアラーム実行手段とを備えた
ことを特徴とする携帯電話機。
【請求項２】
変更時刻算出手段は、遅延時間が現在時刻と記憶装置に記憶されているアラーム設定時刻との差よりも小さい場合にアラーム設定時刻を再計算する
請求項１記載の携帯電話機。
【請求項３】
変更時刻算出手段は、遅延時間が現在時刻と記憶装置に記憶されているアラーム設定時刻との差以上である場合には、現在時刻を、再計算したアラーム設定時刻にする
請求項１または請求項２記載の携帯電話機。
【請求項４】
アラーム実行手段は、再計算されたアラーム設定時刻におけるアラーム機能をユーザによる所定の操作に応じて解除する
請求項１から請求項３のいずれか１項に記載の携帯電話機。
【請求項５】
アラーム実行手段は、アラーム機能を実行する際に、アラーム音の出力もしくはバイブレータの振動、またはアラーム音の出力およびバイブレータの振動を行う
請求項１から請求項４のいずれか１項に記載の携帯電話機。
【請求項６】
アラーム実行手段は、再計算されたアラーム設定時刻にアラーム機能を実行する場合に、ユーザが指定したアラーム設定時刻におけるアラーム機能の実行時における音とは異なる音を出力する
請求項５記載の携帯電話機。
【請求項７】
アラーム実行手段は、再計算されたアラーム設定時刻にアラーム機能を実行する場合に、ユーザが指定したアラーム設定時刻におけるアラーム機能の実行時の表示とは異なる表示を行う
請求項１から請求項６のいずれか１項に記載の携帯電話機。
【請求項８】
携帯電話機と、交通機関の遅延情報を通知する電子メールを前記携帯電話機に送信する遅延情報通知サーバとを備えたアラームシステムであって、
前記携帯電話機は、
ユーザが指定した交通機関を示すデータおよびアラーム設定時刻を示すデータを格納する記憶装置と、
前記遅延情報通知サーバからの電子メールを受信するメール受信手段と、
前記メール受信手段が受信した電子メールがユーザが指定した交通機関の遅延情報を伝える電子メールであるか判別する遅延メール判別手段と、
前記メール受信手段が受信した電子メールがユーザが指定した交通機関の遅延情報を伝える電子メールであると前記遅延メール判別手段が判別した場合には、電子メールから遅延時間を抽出し、抽出した遅延時間にもとづいてアラーム機能を実行する時刻を再計算する変更時刻算出手段と、
前記変更時刻算出手段がアラーム設定時刻を再計算した場合には、再計算したアラーム設定時刻と現在時刻とが一致したときにアラーム機能を実行し、前記変更時刻算出手段がアラーム設定時刻を再計算しない場合には、前記記憶装置に格納されているアラーム設定時刻と現在時刻とが一致したときにアラーム機能を実行するアラーム実行手段とを含む
ことを特徴とするアラームシステム。
【請求項９】
携帯電話機における変更時刻算出手段は、遅延時間が現在時刻と記憶装置に記憶されているアラーム設定時刻の差以上である場合には、現在時刻を、再計算したアラーム設定時刻にする
請求項８記載のアラームシステム。
【請求項１０】
携帯電話機におけるアラーム方法であって、
ユーザが指定した交通機関を示すデータおよびアラーム設定時刻を示すデータを記憶装置に格納するデータ格納ステップと、
交通機関の遅延情報を通知する遅延情報通知サーバからの電子メールを受信し、受信した電子メールがユーザが指定した交通機関の遅延情報を伝える電子メールであるか判別する遅延メール判断ステップと、
前記遅延メール判断ステップで、受信した電子メールがユーザが指定した交通機関の遅延情報を伝える電子メールであると判別した場合には、電子メールから遅延時間を抽出し、抽出した遅延時間にもとづいてアラーム機能を実行する時刻を再計算する変更時刻算出ステップと、
前記変更時刻算出ステップで、アラーム設定時刻を再計算した場合には、再計算したアラーム設定時刻と現在時刻とが一致したときにアラーム機能を実行し、アラーム設定時刻を再計算しない場合には、前記記憶装置に格納されているアラーム設定時刻と現在時刻とが一致したときにアラーム機能を実行するアラーム実行ステップとを含む
ことを特徴とするアラーム方法。
【請求項１１】
変更時刻算出ステップで、遅延時間が現在時刻と記憶装置に記憶されているアラーム設定時刻との差以上である場合には、現在時刻を、再計算したアラーム設定時刻にする
請求項１０記載のアラーム方法。
【請求項１２】
携帯電話機に内蔵されたコンピュータに、
ユーザが指定した交通機関を示すデータおよびアラーム設定時刻を示すデータを記憶装置に格納する処理と、
交通機関の遅延情報を通知する遅延情報通知サーバからの電子メールを受信し、受信した電子メールがユーザが指定した交通機関の遅延情報を伝える電子メールであるか判別する処理と、
受信した電子メールがユーザが指定した交通機関の遅延情報を伝える電子メールであると判別した場合には、電子メールから遅延時間を抽出し、抽出した遅延時間にもとづいてアラーム機能を実行する時刻を再計算する処理と、
アラーム設定時刻を再計算した場合には、再計算したアラーム設定時刻と現在時刻とが一致したときにアラーム機能を実行し、アラーム設定時刻を再計算しない場合には、前記記憶装置に格納されているアラーム設定時刻と現在時刻とが一致したときにアラーム機能を実行する処理と
を実行させるためのアラームプログラム。
【請求項１３】
コンピュータに、
遅延時間が現在時刻と記憶装置に記憶されているアラーム設定時刻との差以上である場合には、現在時刻を、再計算したアラーム設定時刻にする処理を実行させる
請求項１２記載のアラームプログラム。
【発明の詳細な説明】
【技術分野】
【０００１】
本発明は、アラーム機能を有する携帯電話機、アラームシステム、アラーム方法および携帯電話機に内蔵されるアラームプログラムに関する。
【背景技術】
【０００２】
一般に、携帯電話機にはアラーム機能が内蔵されている。そのような携帯電話機において、ユーザは、予めアラーム機能によってアラームを出す時刻（アラーム設定時刻）を設定して、携帯電話機を目覚まし時計として使用することができる。しかし、ユーザが利用している交通機関に遅延が発生している場合には、通常のアラーム設定時刻のままに起きて行動をしていては、ユーザは、始業時刻までに会社や学校等に到着できないことがある。
【０００３】
特許文献１には、交通機関の遅延の度合いに応じてアラームシステムのアラーム時刻を自動再設定するアラーム時刻再設定装置が記載されている。
【０００４】
また、特許文献２には、利用路線情報の事前登録を必要とせずに、電車遅延情報を鉄道利用者に通知する遅延情報連絡システムが記載されている。
【０００５】
【特許文献１】特開２００２−３０３６８７号公報（段落００１３，段落００２３−００２６）
【特許文献２】特開２００８−１０５５１６号公報（段落０００５，段落００１０）
【発明の開示】
【発明が解決しようとする課題】
【０００６】
しかし、例えば、起床から通勤電車に乗るまでの身支度時間の長短、または駅までに要する時間の長短等に応じて、同じ電車に乗るユーザでも起床時間はばらばらである。特許文献１に記載されたアラーム時刻再設定装置では、電車遅延情報にもとづいてアラーム時刻を変更する場合に、個々のユーザ毎に異なるアラーム時刻を、サーバが管理し、さらに、交通情報に応じて新たなアラーム時刻の再計算を行う必要があり、サーバの負担が大きいという問題がある。
【０００７】
また、特許文献２に示された遅延情報連絡システムでは、携帯電話機が、改札口装置から車両利用情報を自動的に取得して保存し、携帯電話機管理サーバから配信される遅延情報と、保存した車両利用情報とを照合して該当する路線名が存在する場合には緊急メッセージを表示する。しかし、例えば、近い過去に、ユーザが日常使用する路線とは異なる路線を使用した場合には、その路線の情報が表示されてしまう。従って、ユーザにとって不要な遅延情報がユーザに提示されることがあるという問題がある。
【０００８】
そこで、本発明は、遅延情報を配信するサーバの負担を増すことなく、交通機関に遅延が生じた場合にアラーム時刻を変更することができる携帯電話機、アラームシステム、アラーム方法およびアラームプログラムを提供することを目的とする。
【課題を解決するための手段】
【０００９】
本発明による携帯電話機は、ユーザが指定した交通機関を示すデータおよびアラーム設定時刻を示すデータを格納する記憶装置と、交通機関の遅延情報を通知する遅延情報通知サーバからの電子メールを受信するメール受信手段と、メール受信手段が受信した電子メールがユーザが指定した交通機関の遅延情報を伝える電子メールであるか判別する遅延メール判別手段と、メール受信手段が受信した電子メールがユーザが指定した交通機関の遅延情報を伝える電子メールであると遅延メール判別手段が判別した場合には、電子メールから遅延時間を抽出し、抽出した遅延時間にもとづいてアラーム機能を実行する時刻を再計算する変更時刻算出手段と、変更時刻算出手段がアラーム設定時刻を再計算した場合には、再計算したアラーム設定時刻と現在時刻とが一致したときにアラーム機能を実行し、変更時刻算出手段がアラーム設定時刻を再計算しない場合には、記憶装置に格納されているアラーム設定時刻と現在時刻とが一致したときにアラーム機能を実行するアラーム実行手段とを備えたことを特徴とする。
【００１０】
本発明によるアラームシステムは、携帯電話機と、交通機関の遅延情報を通知する電子メールを携帯電話機に送信する遅延情報通知サーバとを備えたアラーム設定時刻変更システムであって、携帯電話機は、ユーザが指定した交通機関を示すデータおよびアラーム設定時刻を示すデータを格納する記憶装置と遅延情報通知サーバからの電子メールを受信するメール受信手段と、メール受信手段が受信した電子メールがユーザが指定した交通機関の遅延情報を伝える電子メールであるか判別する遅延メール判別手段と、メール受信手段が受信した電子メールがユーザが指定した交通機関の遅延情報を伝える電子メールであると遅延メール判別手段が判別した場合には、電子メールから遅延時間を抽出し、抽出した遅延時間にもとづいてアラーム機能を実行する時刻を再計算する変更時刻算出手段と、変更時刻算出手段がアラーム設定時刻を再計算した場合には、再計算したアラーム設定時刻と現在時刻とが一致したときにアラーム機能を実行し、変更時刻算出手段がアラーム設定時刻を再計算しない場合には、記憶装置に格納されているアラーム設定時刻と現在時刻とが一致したときにアラーム機能を実行するアラーム実行手段とを含むことを特徴とする。
【００１１】
本発明によるアラーム方法は、携帯電話機において、ユーザが指定した交通機関を示すデータおよびアラーム設定時刻を示すデータを記憶装置に格納するデータ格納ステップと、交通機関の遅延情報を通知する遅延情報通知サーバからの電子メールを受信し、受信した電子メールがユーザが指定した交通機関の遅延情報を伝える電子メールであるか判別する遅延メール判断ステップと、遅延メール判断ステップで、受信した電子メールがユーザが指定した交通機関の遅延情報を伝える電子メールであると判別した場合には、電子メールから遅延時間を抽出し、抽出した遅延時間にもとづいてアラーム機能を実行する時刻を再計算する変更時刻算出ステップと、変更時刻算出ステップで、アラーム設定時刻を再計算した場合には、再計算したアラーム設定時刻と現在時刻とが一致したときにアラーム機能を実行し、アラーム設定時刻を再計算しない場合には、記憶装置に格納されているアラーム設定時刻と現在時刻とが一致したときにアラーム機能を実行するアラーム実行ステップとを含むことを特徴とする。
【００１２】
本発明によるアラームプログラムは、携帯電話機に内蔵されたコンピュータに、ユーザが指定した交通機関を示すデータおよびアラーム設定時刻を示すデータを記憶装置に格納する処理と、交通機関の遅延情報を通知する遅延情報通知サーバからの電子メールを受信し、受信した電子メールがユーザが指定した交通機関の遅延情報を伝える電子メールであるか判別する処理と、受信した電子メールがユーザが指定した交通機関の遅延情報を伝える電子メールであると判別した場合には、電子メールから遅延時間を抽出し、抽出した遅延時間にもとづいてアラーム機能を実行する時刻を再計算する処理と、アラーム設定時刻を再計算した場合には、再計算したアラーム設定時刻と現在時刻とが一致したときにアラーム機能を実行し、アラーム設定時刻を再計算しない場合には、記憶装置に格納されているアラーム設定時刻と現在時刻とが一致したときにアラーム機能を実行する処理とを実行させることを特徴とする。
【発明の効果】
【００１３】
本発明によれば、遅延情報を配信するサーバの負担を増すことなく、交通機関に遅延が生じた場合にアラーム時刻を変更することができる。
【発明を実施するための最良の形態】
【００１４】
実施形態１．
図１は、本発明による携帯電話機の第１の実施形態（実施形態１）の構成を示すブロック図である。図１に示す携帯電話機１００は、電子メールを受信する機能、およびアラーム機能を備えた携帯電話機である。
【００１５】
アンテナ１１は、携帯電話基地局との電波の送受信に用いられる。無線部１２は、変復調機能を有し、アンテナ１１を介して基地局からの信号を受信し、受信した信号を復調してメールデータを抽出する。
【００１６】
入力部１３は、入力キーを含み、ユーザからの入力キーの押下等による操作に対応して、アラーム設定時刻を入力したり、動作中のアラーム機能を停止させる指示を入力したりする。
【００１７】
表示部１４は、ディスプレイを含み、制御部２１からの指示に従って種々の情報をディスプレイ等に表示する。例えば、表示部１４は、アラーム設定時刻を表示したり、アラーム機能が動作中であることを表示したり、電車遅延が発生した場合に設定時刻とは異なる時刻にアラームを鳴らしたことを通知する表示を行ったりする。
【００１８】
記憶部１５は、制御部２１が行う処理に関する種々のデータを記憶する。例えば、記憶部１５は、アラーム設定時刻、変更後のアラーム設定時刻、遅延メールの内容を判断するためのキーワードおよび遅延メールから抽出した情報等のデータを記憶する。
【００１９】
タイマ１６は、時間や時刻をカウントする計時機能を有する。制御部２１は、タイマ１６から計時情報を入力して表示部１５に表示させる。また、制御部２１は、記憶部１５に記憶されたアラーム設定時刻とタイマ１６から入力した現在時刻とが一致したことを検出すると、アラーム機能を実行する。
【００２０】
鳴音駆動部１７は、制御部２１によって制御される。制御部２１は、アラーム機能を実行する際に、鳴音駆動部１７を作動させる。スピーカ１８は、鳴音駆動部１７から出力される信号に従って音を鳴らす。
【００２１】
振動駆動部１９は、制御部２１の制御に従って作動し、バイブレータ２０を振動させる。振動駆動部１９は、振動設定が有効に設定されているアラーム機能が動作している場合に、バイブレータ２０を振動させる。バイブレータ２０は、振動駆動部１９から出力される信号に従って振動する。
【００２２】
制御部２１は、携帯電話機１００を構成する各部の諸機能を制御したり指示する。また、制御部２１は、予め記憶部１５に記憶されているデータと、受信されたメールデータとを比較し、比較の結果に応じて時刻の再計算を行い、再計算した時刻の情報を記憶部１５に記憶させる機能も有している。
【００２３】
図２は、図１に示す携帯電話機のアラーム時刻変更処理を示すフローチャートである。図２を参照して、図１に示す携帯電話機のアラーム時刻を変更する動作を説明する。
【００２４】
携帯電話機１００は、アラームを鳴らす時刻（アラーム設定時刻）が入力部１１から予め入力されていて、アラーム機能を有効にした状態で、待ち受け状態になっている（ステップＳ１０１）。アラーム機能を有効にした携帯電話機１００では、制御部２１が、記憶部１５に記憶されたデータを参照して、アラーム設定時刻と現在時刻とが一致したことを検出すると、後述するアラーム機能の鳴音設定および振動設定に従って、アラーム機能を実行する。また、携帯電話機１００は、ユーザが利用する電車の路線情報（路線名を示す情報）を予め記憶部１５に記憶しているとする。
【００２５】
アンテナ１１が電子メールの電波を受信すると、無線部１２は、アンテナ１１が受信した電子メールの電波を復調してメールデータを抽出する。制御部２１は、記憶部１５に記憶されているキーワードを使った検索を行って、抽出されたメールデータが遅延メールを示すデータであるか判別する。キーワードを使った検索とは、遅延メールであることを示すと考えられるキーワードを予め記憶部１５に記憶させておき、制御部２１がキーワードに合致する部分がメールデータに存在するか検索し、キーワードに合致する部分がメールデータに存在する場合には、メールデータが遅延メールを示すデータであると判別する検索である。
【００２６】
ここで、キーワードを使った検索について説明する。図３は、表示部に表示した遅延メールの一例を示す説明図である。図３に示す発信者および題名の欄において、破線で囲まれた部分に示された情報は、受信した電子メールが遅延メールであることを端的に示していると考えられる。なお、キーワードとして、発信者の特定の電子メールアドレス、特定の語句（例えば、「電車」や「遅延」）を含む電子メールの題名、またはその他電子メールを特定できる語句を用い、いずれかのキーワードが一致すればよいとする。
【００２７】
キーワードを使った検索を行って、抽出されたメールデータが遅延メールを示すデータであると判別された場合には（ステップＳ１０２）、制御部２１は、遅延メールの本文中から路線名および遅延時間を抽出する（ステップＳ１０３）。一般に、遅延メールは定型文から作成されているので、定型文中のキーワードを抽出する方法を用いて、路線名および遅延時間を抽出すればよい。制御部２１は、抽出した路線名と、予め記憶部１５に記憶されているユーザが利用する電車の路線情報とが一致するか確認する（ステップＳ１０４）。抽出した路線名と予め記憶部１５に記憶されているユーザが利用する電車の路線情報とが一致しなかった場合には、ユーザには関係のない遅延メールであるとして、携帯電話機１００は待ち受け状態に戻る。
【００２８】
ステップＳ１０４において、抽出した路線名と予め記憶部１５に記憶されているユーザが利用する電車の路線情報とが一致した場合には、制御部２１は、有効になっているアラーム機能を停止する（ステップＳ１０５）。
【００２９】
次いで、制御部２１は、予め設定されて記憶部１５に記憶されているアラーム設定時刻から、ステップＳ１０３において抽出された遅延時間を減算する。制御部２１は、減算後の時刻を、再計算されたアラーム設定時刻として登録する（ステップＳ１０６）。このとき、制御部２１は、減算後の時刻を、再計算されたアラーム設定時刻として新たに記憶部１５に記憶させるが、予め設定されていたアラーム設定時刻のデータを記憶部１５に残す。
【００３０】
制御部２１は、記憶部１５に記憶した再計算されたアラーム設定時刻とタイマ１６から入力した現在時刻とが一致したことを検出すると、アラーム機能を実行する。すなわち、制御部２１は、鳴音駆動部１７を作動させる。スピーカ１８は、鳴音駆動部１７から出力される信号に従って、予め設定されている通常のアラーム音とは異なるアラーム音を鳴らす（ステップＳ１０７）。
【００３１】
ステップＳ１０７においてアラーム音を鳴らすのと同時に、またはその後に、制御部２１は、表示部１４を制御して、アラーム機能が動作中であることを表示する。このとき、変更されたアラーム設定時刻でアラーム機能を動作させていることが分かるように、通常のアラーム機能の動作中の表示とは異なる表示が表示される（ステップＳ１０８）。
【００３２】
ステップＳ１０８において、アラーム機能が動作している際に、携帯電話機１００の入力部１３に含まれるキーボタンが押下されて、入力部１３から所定の操作に対応する入力信号が入力されると、制御部２１は、アラーム機能の動作を停止する（ステップＳ１０９）。なお、アラーム機能の動作を停止させるためのキーボタンは、特定のキーであるが、特定のキーでなくてもよい。
【００３３】
ステップＳ１０９において、アラーム機能の動作が停止した後に、所定の操作が行われて、入力部１３から所定の操作に対応する入力信号が入力されると、制御部２１は、変更したアラーム設定時刻に関するアラーム動作を解除する（ステップＳ１１０）。なお、所定の操作とは、例えば、終話キー、サイドキーまたは不特定キーの押下の他に、折り畳み形状またはスライド形状の携帯電話機の開閉動作等としてよい。さらに、キー押下を伴わずに予め設定している時間が経過した場合を所定の操作に含めてもよい。アラーム動作の解除によって、変更されたアラーム設定時刻も解除される。
【００３４】
なお、アラーム機能の設定において振動設定が有効に設定されている場合には、制御部２１は、スピーカ１８がアラーム音を鳴らすタイミングで、振動駆動部１９を作動させてバイブレータ２０を振動させる。そして、制御部２１は、アラーム機能の動作を停止するタイミングで、振動駆動部１９にバイブレータ２０の振動を停止させる。さらに、携帯電話機１００のアラーム機能の設定は、鳴音設定が無効に設定され、かつ振動設定が有効に設定されていてもよく、その場合には、制御部２１は、鳴音駆動部１７を作動させず、振動駆動部１９を作動させてアラーム機能の動作を実施する。
【００３５】
第１の実施の形態では、アラーム設定時刻より前に電車遅延が発生して当該交通機関の遅延を連絡する電子メールを受信した場合に、遅延時間の分だけ早くアラーム機能が動作するので、遅延時間の分だけ早くユーザにアラームを出すことができる。さらに、携帯電話機１００のスピーカ１８は通常のアラーム機能の動作中における音とは異なる音を鳴らし、表示部１４は通常のアラーム機能の動作中の表示とは異なる表示を表示するので、ユーザは、遅延が発生していることを容易に認識できる。また、アラーム機能を解除したときに、変更したアラーム設定時刻は解除され、遅延メールによるアラーム設定時刻の変更をその時限りにすることができる。
【００３６】
実施形態２．
次に、本発明の第２の実施形態（実施形態２）を説明する。第２の実施形態の携帯電話機は、図１に示された第１の実施形態と同じ構成となっている。図４は、アラーム機能が設定されている携帯電話機が遅延メールを受信した際の第２の実施形態における処理を示すフローチャートである。図４を参照して、第２の実施形態の携帯電話機を説明する。
【００３７】
第２の実施形態において、携帯電話機１００は、待ち受け状態から遅延メールを受信して特定情報を抽出し、抽出情報がユーザが利用する電車の路線の情報であるか確認する処理を実行すること（図２のステップＳ１０１〜Ｓ１０４に相当）は、第１の実施形態の場合と同じである（ステップＳ３０１〜Ｓ３０４）。
【００３８】
制御部２１は、ステップＳ３０３において遅延メールの本文中から抽出した遅延時間を、予め設定されて記憶部１５に記憶されているアラーム設定時刻から減算する。そして、制御部２１は、減算結果の時刻とタイマ１６が計時している現在時刻とを比較する（ステップＳ３０５）。図５は、アラーム設定時刻、現在時刻および遅延時間の関係を示す説明図である。図５に示された関係では、アラーム設定時刻（一例として、７：１５）から遅延時間（一例として、２０分）を減算した減算結果の時刻が現在時刻（一例として、７：００）より早い時刻（一例として、６：５５）を指している。
【００３９】
ステップＳ３０５における比較の結果、減算結果の時刻が現在時刻よりも遅い場合には、すなわち、遅延時間が現在時刻（遅延メールを受信した時刻）とアラーム設定時刻との差よりも小さい場合には、減算結果の時刻が現在時刻と一致または早くなるまで待ち受け状態となり、制御部２１は、一定時間経過ごとにステップＳ３０５における比較を行う。
【００４０】
ステップＳ３０５における比較の結果、図５に示されたように減算結果の時刻が現在時刻よりも早い場合（同じ場合も含む。）には、すなわち、遅延時間が現在時刻とアラーム設定時刻との差以上である場合には、繰り上げるべきアラーム設定時刻が経過していることを意味しているので、制御部２１は、鳴音駆動部１７を作動させる。スピーカ１８は、鳴音駆動部１７の指示に従って、予め設定してある通常のアラーム音とは異なるアラーム音を鳴らす（ステップＳ３０６）。なお、遅延時間が現在時刻とアラーム設定時刻との差以上である場合には、実質的に、現在時刻を再計算したアラーム設定時刻にしたことになる。
【００４１】
ステップＳ３０６においてアラーム音を鳴らすのと同時に、またはその後に、制御部２１は、表示部１４を制御して、アラーム機能が動作中であることを表示する。このとき、変更されたアラーム設定時刻にアラーム機能を動作させていることが分かるように、通常のアラーム機能の動作中の表示とは異なる表示が表示される（ステップＳ３０７）。なお、変更前のアラーム設定時刻および変更されたアラーム設定時刻を同時に表示部１４に表示させてもよい。
【００４２】
ステップＳ３０７において、アラーム機能が動作している際に、携帯電話機１００の入力部１３に含まれるキーボタンが押下されて、入力部１３から所定の操作に対応する入力信号が入力されると、制御部２１は、アラーム機能の動作を停止する（ステップＳ３０８）。なお、アラーム機能の動作を停止させるためのキーボタンは、特定のキーであるが、特定のキーでなくてもよい。
【００４３】
ステップＳ３０８において、アラーム機能の動作が停止した後に、所定の操作が行われて、入力部１３から所定の操作に対応する入力信号が入力されると、制御部２１は、変更したアラーム設定時刻に関するアラーム動作を解除する（ステップＳ３０９）。なお、所定の操作とは、例えば、終話キー、サイドキーまたは不特定キーの押下の他に、折り畳み形状またはスライド形状の携帯電話機の開閉動作等としてよい。さらに、キー押下を伴わずに予め設定している時間が経過した場合を所定の操作に含めてもよい。アラーム動作の解除によって、変更されたアラーム設定時刻も解除される。
【００４４】
なお、制御部２１は、ステップＳ３０５の処理で、遅延時間が現在時刻とアラーム設定時刻との差よりも小さいと判定した場合には、図２に示すステップＳ１０５〜Ｓ１１０の処理を実行するようにしてもよい。
【００４５】
第２の実施の形態では、電車の遅延時間が現在時刻とアラーム設定時刻との差よりも大きい場合、すなわち、現在時刻がアラーム設定時刻から遅延時間を減算した時刻を過ぎている場合には、即座にアラーム機能を動作させてアラームをユーザに出すことができる。また、電車の遅延時間が現在時刻とアラーム設定時刻との差よりも小さい場合、すなわち、現在時刻がアラーム設定時刻から遅延時間を減算した時刻に到達していない場合には、現在時刻がアラーム設定時刻から遅延時間を減算した時刻に到達するまで待ってからアラーム機能を動作させて、アラームを出す。また、アラーム機能を解除したときに、変更したアラーム設定時刻は解除され、遅延メールによるアラーム設定時刻の変更をその時限りにすることができる。
【００４６】
図６は、本発明による携帯電話機の主要部を示すブロック図である。図６に示すように、携帯電話機１０は、ユーザが指定した交通機関を示すデータおよびアラーム設定時刻を示すデータを格納する記憶装置１（図１に示す記憶部１５に相当）と、交通機関の遅延情報を通知する遅延情報通知サーバ２からの電子メールを受信するメール受信手段３（図１に示すアンテナ１１および無線部１２に相当）と、メール受信手段３が受信した電子メールがユーザが指定した交通機関の遅延情報を伝える電子メールであるか判別する遅延メール判別手段４（図１に示す制御部２１に相当）と、メール受信手段３が受信した電子メールがユーザが指定した交通機関の遅延情報を伝える電子メールであると遅延メール判別手段４が判別した場合には、電子メールから遅延時間を抽出し、抽出した遅延時間にもとづいてアラーム機能を実行する時刻を再計算する変更時刻算出手段５（図１に示す制御部２１に相当）と、変更時刻算出手段５がアラーム設定時刻を再計算した場合には、再計算したアラーム設定時刻と現在時刻とが一致したときにアラーム機能を実行し、変更時刻算出手段５がアラーム設定時刻を再計算しない場合には、記憶装置１に格納されているアラーム設定時刻と現在時刻とが一致したときにアラーム機能を実行するアラーム実行手段６（図１に示す制御部２１、表示部１４、タイマ１６、鳴音駆動部１７、スピーカ１８、振動駆動部１９およびバイブレータ２０等に相当）とを備えたことを特徴とする。このような携帯電話機では、ユーザから指定されたアラーム設定時刻より前に、ユーザから予め指定された交通機関に遅延が発生して当該交通機関の遅延を連絡する電子メールを受信した場合に、アラーム設定時刻を再計算して、交通機関に遅延が生じた場合にアラーム時刻を変更することができる。
【００４７】
また、上記の各実施形態では、以下の（１）〜（６）に示すような携帯電話機も示されている。
【００４８】
（１）変更時刻算出手段は、遅延時間が現在時刻と記憶装置に記憶されているアラーム設定時刻との差よりも小さい場合にアラーム設定時刻を再計算する携帯電話機（例えば、第１の実施形態のステップＳ１０６〜Ｓ１０７の動作によって実現される。）。そのように構成された携帯電話機では、アラーム設定時刻より前に遅延が発生して当該交通機関の遅延を連絡する電子メールを受信した場合に、遅延時間の分だけ早くアラーム機能が動作するので、遅延時間の分だけ早くユーザにアラームを出すことができる。
【００４９】
（２）変更時刻算出手段は、遅延時間が現在時刻と記憶装置に記憶されているアラーム設定時刻との差以上である場合には、現在時刻を、再計算したアラーム設定時刻にする携帯電話機（例えば、第２の実施形態のステップＳ３０６の動作によって実現される。）。そのように構成された携帯電話機では、遅延時間が現在時刻とアラーム設定時刻との差よりも大きい場合、すなわち、現在時刻がアラーム設定時刻から遅延時間を減算した時刻を過ぎている場合には、即座にアラーム機能を動作させてユーザにアラームを出すことができる。
【００５０】
（３）アラーム実行手段は、再計算されたアラーム設定時刻におけるアラーム機能をユーザによる所定の操作に応じて解除する携帯電話機（例えば、第１の実施形態のＳ１１０または第２の実施形態のＳ３０９の動作によって実現される。）。そのように構成された携帯電話機では、遅延メールによって設定時刻が変更されたアラーム設定時刻が維持されることなく解除されるので、例えば、毎日同じ時刻にアラーム機能の実行を設定しているような場合でも翌日からは通常通りの設定時刻にアラーム機能を実行することができる。
【００５１】
（４）アラーム実行手段は、アラーム機能を実行する際に、アラーム音の出力もしくはバイブレータの振動、またはアラーム音の出力およびバイブレータの振動を行う携帯電話機（例えば、第１および第２の実施形態の携帯電話機１００のアラーム機能の鳴音設定および振動設定によって実現される。）。
【００５２】
（５）アラーム実行手段は、再計算されたアラーム設定時刻にアラーム機能を実行する場合に、ユーザが指定したアラーム設定時刻におけるアラーム機能の実行時における音とは異なる音を出力する携帯電話機（例えば、第１の実施形態のステップＳ１０７またはステップＳ３０６の動作によって実現される。）。そのように構成された携帯電話機では、通常のアラーム機能の動作中における音とは異なる音が鳴るので、ユーザに、遅延が発生していることを容易に認識させることができる。
【００５３】
（６）アラーム実行手段は、再計算されたアラーム設定時刻にアラーム機能を実行する場合に、ユーザが指定したアラーム設定時刻におけるアラーム機能の実行時の表示とは異なる表示を行う携帯電話機（例えば、第１の実施形態のステップＳ１０８またはステップＳ３０７の動作によって表示部１４に表示して実現される。）。そのように構成された携帯電話機では、通常のアラーム機能の動作中の表示とは異なる表示が表示されるので、ユーザに、遅延が発生していることを容易に認識させることができる。
【産業上の利用可能性】
【００５４】
本発明を、電子メール受信機能およびアラーム機能を有する通信端末に適用できる。
【図面の簡単な説明】
【００５５】
【図１】本発明による携帯電話機の第１の実施形態の構成を示すブロック図である。
【図２】アラーム機能が設定されている携帯電話機が遅延メールを受信した際の第１の実施形態における処理を示すフローチャートである。
【図３】表示部に表示した遅延メールの一例を示す説明図である。
【図４】アラーム機能が設定されている携帯電話機が遅延メールを受信した際の第２の実施形態における処理を示すフローチャートである。
【図５】アラーム設定時刻、現在時刻および遅延時間の関係を示す説明図である。
【図６】本発明による携帯電話機の主要部を示すブロック図である。
【符号の説明】
【００５６】
１    記憶装置
２    遅延情報通知サーバ
３    メール受信手段
４    遅延メール判別手段
５    変更時刻算出手段
６    アラーム実行手段
１０，１００  携帯電話機
１１  アンテナ
１２  無線部
１３  入力部
１４  表示部
１５  記憶部
１６  タイマ
１７  鳴音駆動部
１８  スピーカ
１９  振動駆動部
２０  バイブレータ
【図１】
2010091478.tif 000003
【図２】
2010091478.tif 000004
【図３】
2010091478.tif 000005
【図４】
2010091478.tif 000006
【図５】
2010091478.tif 000007
【図６】
2010091478.tif 000008